(57)【要約】【課題】ハウジングの後面に水が溜まらないようにする。【解決手段】キャビティ１５Ａ，１５Ｂの後部はゴム栓収容部２０Ａ，２０Ｂとなっており、キャビティ１５Ａ，１５Ｂにはサイズの異なる端子金具１４が収容されるため、端子金具１４のサイズに応じてゴム栓収容部２０Ａ，２０Ｂの後端位置が前後で異なっている。雌ハウジング５の後端面の周縁には囲壁２３が後方へ突出し、この囲壁２３により雌ハウジング５の後端面には取り囲まれた窪み領域３０が形成される。ここには、排水路３２の排水口３１が開口し、取り囲まれた窪み領域に進入した水を雌ハウジング５の外部へ排水する。【選択図】図６
2008270125.tif 000002
【特許請求の範囲】
【請求項１】
ハウジングと、
このハウジングの内部に形成されサイズの異なる端子金具を収容する複数種のキャビティと、
各キャビティの後部に形成され前記端子金具に接続される電線に嵌着されたゴム栓を収容可能であるとともに、それぞれの後端位置が前記端子金具のサイズに対応して前後方向へ異なるように形成されたゴム栓収容部と、
前記ハウジングの後端面の周縁部から後方へ向けて突出し少なくとも前記ゴム栓収容部のうち相対的に凹んだ側を含む範囲に形成された囲壁と、
前記ハウジング内部に形成され一端が前記ハウジングの後端面で前記囲壁が形成された範囲の内側に排水口として開口し、他端が前記ハウジングの外面に開口する排水路とを備えることを特徴とするコネクタ。
【請求項２】
前記ハウジングの後面には、前記ゴム栓収容部のうち前記相対的に凹んだ側が複数室の前記キャビティを含みつつ前記ハウジングの幅方向に沿って凹部領域が延設されるとともに、この凹部領域が設けられた幅範囲内における外側には相手側ハウジングとの嵌合をロックするためのロックアームの後端部が臨んでおり、
かつ、前記囲壁は前記凹部領域の幅方向端部側から前記ロックアームにかけての範囲に亘って形成され、
さらに、前記排水口は前記囲壁、前記ロックアーム及び前記凹部領域とによって囲まれた領域内に配置されていることを特徴とする請求項１に記載のコネクタ。
【請求項３】
前記囲壁において前記凹部領域を高さ方向に挟んで前記排水口が設けられた側と反対側は、前記凹部領域の幅範囲に亘って切除されて切欠き部となっていることを特徴とする請求項２に記載のコネクタ。
【発明の詳細な説明】
【技術分野】
【０００１】
本発明は防水タイプのコネクタに関する。
【背景技術】
【０００２】
従来より、防水コネクタではハウジングの後面に円筒状のシールタワー部がキャビティに連続して形成され、電線に嵌着された防水用のゴム栓を密着して挿入することで個別に防水を図るようにしたものが知られている。その一方で、一つのコネクタにサイズの異なる端子金具を同時に収容する、いわゆるハイブリッドタイプと呼ばれるコネクタも知られている。このようなハイブリッドタイプでは、サイズの大きい端子金具に対応したシールタワー部は、サイズの小さい端子金具に対応したシールタワーに比べてハウジング後面からの突出長さが大きくなっている。こうした構造をもつコネクタとして、下記特許文献１のものが知られている。
【特許文献１】特開平１０−３３４９８７号公報
【発明の開示】
【発明が解決しようとする課題】
【０００３】
上記した公報のものでは、突出量の大きいシールタワー部はハウジング後面の一側の端部に寄せられた配置され、残りの領域が突出量の小さいシールタワー部の配置領域となっている。そして、これらは上記したように突出量において相違し段違いの構造なとなっていることに加え、ハウジング後面の周縁全縁に亘って囲壁が後方へ向けて突出して形成されていることから、突出量の小さいシールタワー部が配された領域は四方が壁構造によって取り囲まれた状態となっている。したがって、コネクタが設置されたときにハウジング後面側が上面となるような状況では、上記箇所に水が溜まってしまう虞があった。
【０００４】
本発明は上記のような事情に基づいて完成されたものであって、ハウジングの後面側に水が溜まりにくくしたコネクタを提供することを目的とする。
【課題を解決するための手段】
【０００５】
上記の目的を達成するための手段として、請求項１の発明は、ハウジングと、このハウジングの内部に形成されサイズの異なる端子金具を収容する複数種のキャビティと、各キャビティの後部に形成され前記端子金具に接続される電線に嵌着されたゴム栓を収容可能であるとともに、それぞれの後端位置が前記端子金具のサイズに対応して前後方向へ異なるように形成されたゴム栓収容部と、前記ハウジングの後端面の周縁部から後方へ向けて突出し少なくとも前記ゴム栓収容部のうち相対的に凹んだ側を含む範囲に形成された囲壁と、前記ハウジング内部に形成され一端が前記ハウジングの後端面で前記囲壁が形成された範囲の内側に排水口として開口し、他端が前記ハウジングの外面に開口する排水路とを備えることを特徴とするものである。
【０００６】
請求項２の発明は、請求項１に記載のものにおいて、前記ハウジングの後面には、前記ゴム栓収容部のうち前記相対的に凹んだ側が複数室の前記キャビティを含みつつ前記ハウジングの幅方向に沿って凹部領域が延設されるとともに、この凹部領域が設けられた幅範囲内における外側には相手側ハウジングとの嵌合をロックするためのロックアームの後端部が臨んでおり、かつ、前記囲壁は前記凹部領域の幅方向端部側から前記ロックアームにかけての範囲に亘って形成され、
さらに、前記排水口は前記囲壁、前記ロックアーム及び前記凹部領域とによって囲まれた領域内に配置されていることを特徴とするものである。
【０００７】
請求項３の発明は、請求項２に記載のものにおいて、前記囲壁において前記凹部領域を高さ方向に挟んで前記排水口が設けられた側と反対側は、前記凹部領域の幅範囲に亘って切除されて切欠き部となっていることを特徴とするものである。
【発明の効果】
【０００８】
＜請求項１の発明＞
請求項１の発明によれば、ハウジングにはサイズの異なる端子金具を収容するため、ゴム栓収容部の後端位置が端子金具の種類によって前後に異なる。その一方で、ハウジングの後端面の周縁からは囲壁が突出しているため、ゴム栓収容部のうち相対的に凹んだ側が囲壁によって取り囲まれると、例えばハウジングの後端面が上向き状態で設置されるような状況のもとでは、この部分に水が溜まってしまう虞がある。
【０００９】
しかし、請求項１の発明では、水の溜まりが予想される部分に排水口を開口させ、同開口から排水路を通してハウジング外部へ排水することができる。したがって、ハウジングの後面に長期間に亘って水が溜まる事態を回避することができる。
【００１０】
また、単に、排水のためだけであれば、囲壁の一部を切り欠くことも考えられるが、ハウジングの後面は電線の引き出し面でもあることから、こうした切り欠きを設けると電線を引っ掛けてしまうことが懸念される。請求項１の発明では、そのような電線の引っ掛かる可能性を排除した構造であるため、電線の取り回し作業を行う場合に有効である。
【００１１】
＜請求項２の発明＞
請求項２の発明では、ロックアームをゴム栓収容部の凹部領域の幅範囲でかつその外側に配置するようにしたため、ロックアームの幅方向に関する側方領域は
いわばデッドスペースとなっており、請求項２の発明はここに排水口を形成したため、排水口の配置によってハウジングの後端面を何ら拡張する必要はなく、配置効率に優れたものとすることができる。
【００１２】
＜請求項３の発明＞
請求項３の発明によれば、凹部領域を構成するゴム栓収容部へ端子金具等を挿入する場合に囲壁が邪魔になりがちであるが、これらが設けられている幅範囲に亘って囲壁に切欠き部を設けているため、端子金具等の挿入作業を円滑に行うことができる。
【発明を実施するための最良の形態】
【００１３】
＜実施形態１＞
本発明の実施形態１を図１ないし図１３によって説明する。図１は中継式の雄コネクタであり、合成樹脂製のハウジング１は前後方向の中央部の仕切り壁２によって前後に区画されるとともに、前部側及び後部側は共に前方及び後方へ開口する角筒状に形成されている。この仕切り壁２にはタブ状に形成された雄端子金具３Ａ，３Ｂがそれぞれ複数本ずつ、前後に貫通した状態で圧入されている。これらは高さを揃えた状態で幅方向に並列して配置されている。この実施形態では、雄端子金具３Ａ，３Ｂは幅方向両端部に幅寸法の大きな大型雄端子金具３Ａが一対配され、これらに挟まれて小型の雄端子金具３Ｂが４本配されている。雄端子金具は大型・小型共に嵌合方向前端の位置は、前後方向に関して揃えられているが、嵌合方向後端の位置は大型雄端子金具３Ａの方がより後方へ突出している。
【００１４】
また、雄ハウジング１の上面であって幅方向中央部には、平板状をなす起立壁４（リブ）が設けられている。この起立壁４は雌雄ハウジング１，５の嵌合方向に沿って形成され、その前端は雄ハウジング１の開口縁からやや後方へ後退した位置に設定されている。また、起立壁４の前端上部には一対のロック受け部６が幅方向両側方へ突出している。両ロック受け部６の前端面は嵌合方向後方へ向けて下り勾配となる案内面６Ａが形成され、後端面は嵌合方向前方へ向けて上り勾配となる逆テーパー状の受け面６Ｂが形成されている。
【００１５】
尚、雄ハウジング１の後端部寄り外面には、上面から下面にかけて雌雄ハウジング１，５同士の嵌合・離脱時の指掛け用の張り出し縁７が突出形成されている。
【００１６】
図４乃至図８は雌コネクタのハウジング５を示しており、雌ハウジング５は合成樹脂製であり、内筒部８とこの内筒部８を外側から取り囲む外筒部９とからなっており、両筒部８，９は雌ハウジング５の後端面において接続されている。両筒部８，９の間には前方へ開口する嵌合空間１０が保有され、雄ハウジング１の前部側が嵌合可能である。嵌合時には、内筒部８の奥端部に嵌着されたシール用ゴムリング１１の外周面に雄ハウジング１の前端部が密着し、これによって雌雄両ハウジング１，５間のシールがなされる。
【００１７】
外筒部９は、底壁９Ａとその幅方向両端からほぼ垂直に起立する一対の側壁９Ｂと、両側壁９Ｂから互いに接近する方向へ傾斜状に起立する一対の傾斜壁９Ｃと両傾斜壁９Ｃ同士を水平に接続する上面壁９Ｄを有してなり、さらに上面壁９Ｄは前後部の間に段差１２が設けられている。また、後部上面壁９Ｄ１の幅方向中央部で前部上面壁９Ｄ２寄りには窓孔１３が開口している。
【００１８】
内筒部８には雌端子金具１４を収容するための複数のキャビティ１５Ａ，１５Ｂが設けられ、それぞれは嵌合方向前後方向へ貫通して形成されている。キャビティ１５Ａ，１５Ｂのうち幅方向両端に配置されたものは大型雌端子金具（図示しない）を収容する大キャビティ１５Ａであり、これらの間は小型雌端子金具１４を収容する小キャビティ１５Ｂであり、図示４室が並列に配されている。そして、雌雄のハウジング１，５が正規に嵌合すると、大型の雌端子金具は大型の雄端子金具３Ａと、小型の雌端子金具１４は小型の雄端子金具３Ｂとそれぞれ正規の導通状態となる。
【００１９】
雌端子金具１４は許容電流によるサイズの違いこそあれ、形状は大型・小型を問わず同様であり、角筒状の本体部１６に連続して形成されたバレル部（ワイヤバレル）によって電線芯線に接続されている。また、電線１８の被覆端部には防水用のゴム栓１９が嵌着され雌端子金具１４のバレル部（インシュレーションバレル）によってかしめ付けられている。
【００２０】
各キャビティ１５Ａ，１５Ｂにおける嵌合方向前半部は略方形断面に形成されて雌端子金具１４の本体部１６を収納するが、嵌合方向後半部は前半部に比べてやや大きめの円筒状をなすゴム栓収容部２０Ａ，２０Ｂとなっている。これらゴム栓収容部２０Ａ，２０Ｂは雌ハウジング５の後端面において幅方向に沿って横一列に並んで配されている。各ゴム栓収容部２０Ａ，２０Ｂは隣接するもの同士が連結されることでピッチが詰められている。このゴム栓収容部２０Ａ，２０Ｂも大キャビティ１５Ａに対応したものは孔径が大径に形成され、図６において左右両端部において一対が配されている（以下、このゴム栓収容部を大径収容部２０Ａという）。そして、小キャビティ１５Ｂに対応したものは小径に形成されており、両大径収容部２０Ａ間で幅方向から挟まれるようにして４つ配されている（以下、これらゴム栓収容部を小径収容部２０Ｂという）。また、大径・小径の収容部２０Ａ，２０Ｂ内に対応するゴム栓１９が収容されると、ゴム栓１９のシールリップがゴム収容部２０Ａ，２０Ｂの内周面にシール状態で密着する。但し、いずれのゴム栓収容部２０Ａ，２０Ｂに対してもゴム栓１９が収容された状態では、ゴム栓１９の後端面はゴム栓収容部２０Ａ，２０Ｂの後端面と面一をなすか、ごく僅かに後方へ突出した状態となっており、各ゴム栓収容部２０Ａ，２０Ｂの内側に水が溜まらないようにしている。
【００２１】
また、各小径収容部２０Ｂの後端は雌ハウジング５の後端面とほぼ面一であるが、大径収容部２０Ａは後端位置が雌ハウジング５の後端面から後方へ突出するような長さ寸法をもって形成されている。したがって、各小径収容部２０Ｂが設けられた幅範囲は両大径収容部２０Ａに比べて相対的に凹んだ凹部領域２１を形成する。
【００２２】
ところで、外筒部９の両側壁９Ｂ外面は大径収容部２０Ａの後端に至るまで連続して形成され、図７に示すように、両大径収容部２０Ａの幅方向外側に雌ハウジング５後面の幅寸法を拡大する拡張部Ｅが形成される。両拡張部Ｅの後面は両大径収容部２０Ａの後端と面一で平坦面をなす押し面２２を形成しており、図示のものでは縦方向に四箇所の肉抜きがされている。
【００２３】
図５に示すように、雌ハウジング５の平面視において外筒部９の側壁９Ｂ外面と両拡張部Ｅの幅方向両側面とは幅方向に関してほぼ面一（拡張部Ｅ側が幅方向内方へやや引っ込むような設定でもよい）としてある。しかし、側壁において嵌合方向のほぼ中央部から拡張部Ｅにかけての長さ範囲は、両拡張部Ｅ側へ向けて徐々に平面視で幅狭になるように形成されている。つまり、側壁９Ｂにおける嵌合方向前部及び拡張部Ｅから幅方向に関してやや内方へ引っ込むことにより、操作凹部４４が形成される。操作凹部４４には、図６に示すように、縦向き帯状に形成された複数の滑り止め４５が並列し、これらは嵌合方向後方へ向けて徐々に高さが増すようなものとしてある。
【００２４】
一方、両傾斜壁９Ｃの後端縁及び後部側上面壁９Ｄ２の後端縁は大径収容部２０Ａの後端位置に揃うよう、雌ハウジング５の後端面から後方へ突出するように延出形成されている。このことによって、雌ハウジング５の後端面の周縁はゴム栓収容部２０Ａ，２０Ｂが設けられている全幅範囲に亘って雌ハウジング５の後端面から突出して囲壁２３を形成する。また、大径収容部２０Ａの外面には高さ方向の双方へ向けて連結リブ２４が形成され、一方側は囲壁２３に連結され、他方側は端部で屈曲して端部壁面に連結され、これらは囲壁２３及び押し面２２と面一をなしている。さらに、雌ハウジング５の後端面において凹部領域２１を高さ方向に挟む一方側（図７における上側）で幅方向中央部には突出後壁２５が形成され、囲壁２３及び大径収容部２０Ａの後端と面一をなして形成されている。この突出後壁２５は両大径収容部２０Ａ及び各小径収容部２０Ｂに対して連結脚２６によって接続されている。
【００２５】
一方、囲壁２３は図６における下縁側（後述するロックアーム２７が設けられるのと反対側）は設けられておらず、凹部領域２１の全幅範囲を含み両大径収容部のそれぞれほぼ半分にかかる長さ範囲に亘って切欠かれて切欠き部２８とされる。この切欠き部２８は、主として各小径収容部２０Ｂへの雌端子金具１４の挿入作業を行う際に、指が干渉しないようにするための役割と排水の役割を果たすためのものであり、この実施形態では、さらに切欠き部２８の下縁は全幅に亘って面取り２９がされている。
【００２６】
突出後壁２５を幅方向から挟む領域（連結リブ２４、囲壁２３、突出後壁２５によって三方から取り囲まれた領域：水抜き領域３０）は、それぞれ凹部領域２１に連通して凹部領域２１に対し嵌合方向に関して面一をなして形成されている。両水抜き領域３０内には共に排水口３１が開口している。すなわち、雌ハウジング５の両傾斜壁９Ｃにおいて上面壁９Ｄ寄りの下方部には前後方向に沿って排水路３２が幅方向に一対のものが、共に貫通して形成されており、その後端側が排水口３１となって雌ハウジング５の後端面に開口し、前端側は雌ハウジング５の前面にドレン孔３３として開口している。なお、図示のものは排水口３１には縦向きに区画壁３４が設けられており、排水口３１を左右に分画している。
【００２７】
雌ハウジング５において上面壁９Ｄの下方にはほぼ上面壁９Ｄの幅範囲に亘って中空室３５が形成され、その下面側は嵌合空間１０へと連通し、さらに雌ハウジング５の前面側へ方形状に開口している。この中空室３５の内部において幅方向中央部にはロックアーム２７が配されている。図９に示すように、ロックアーム２７は幅方向に間隔をおいて対向する一対のアーム片３６によって構成されている。両アーム片３６は共に突出後壁２５から前方へ向けて片持ち状に延出しており、高さ方向への撓み変形が可能に形成されている。また、両アーム片３６の前端部には外方へ向けて爪部３７が突出形成されており、雄ハウジング１の両ロック受け部６に係止可能である。さらに、両アーム片３６の内面側でかつ爪部３７の後側には両アーム片３６同士を連結する連結面３８が設けられ、かつこの連結面３８は窓孔１３内に臨み、窓孔１３を通して押圧操作可能である。さらに、連結面３８の前端縁からは内方へ向けて雄ハウジング１の起立壁４を受け入れるスリット３９が切り込まれ、かつ両ロック受け部６を連結面３８にて下方から受承した状態で係止することができる。さらにまた、爪部３７の前面側は後方へ向けて上り勾配となった撓み案内面４０が全幅範囲に亘って形成されており、雌雄ハウジング１，５の嵌合の際にロック受け部６と摺接して両アーム片３６の潜り込み動作を案内することができるようにしている。両爪部３７の間の間隔は、両ロック受け部６の外側面同士の間の幅寸法より充分に狭く、かつ起立壁４の幅寸法より僅かに広い設定としてある。
【００２８】
一方、中空室３５において両アーム片３６を幅方向に挟んだ位置には縦壁４１が対向している。両縦壁４１においてアーム片３６の爪部３７の幅方向外側に対向する位置には一対の規制突部４２が突出している。両規制突部４２は両アーム片３６の外側への撓み変形を規制するためのものであり、爪部３７とほぼ同じ高さ位置を揃えて配されている。また、規制突部４２の前端面は傾斜面となり、長さ方向中央部の側面は前後方向に沿った平坦面をなし爪部３７の外側面と平行な規制面４３が形成されている。さらに、図１２に示すように、ロックアーム３６の両爪部３７が雄ハウジング１のロック受け部６に係止している状態において、爪部３７とロック受け部６との掛かり代（図１３におけるＡ寸法）が、爪部３７と規制面４３との間の隙間間隔（同図におけるＢ寸法）よりも大きくなるように設定されている。このことによって、両アーム片３６が幅方向外側へ撓み変形することに伴い、爪部３７とロック受け部６との係止が外れてしまうよりも前に、爪部３７と規制面４３との当接がなされてこれ以上に拡開方向へ撓み変形してしまう事態が回避されるようにしてある。
【００２９】
次に、上記のように構成された本実施形態の作用効果を具体的に説明すると、雌雄の両ハウジング１，５を嵌合させる場合には、雄ハウジング１の前端面を雌ハウジング５の嵌合空間１０の前面に適合させる。そして、例えば両操作凹部４４の滑り止め４５を把持してそのまま押し込む。このとき、操作凹部４４は嵌合方向前方側へ向けて徐々に幅広に形成されていることから、押し込みの操作を行うときに引っ掛かりとなり、雌ハウジング５に対して操作力を伝達しやすい。コネクタの設置状況によっては、ハウジングの側方に作業者が指を差し入れるスペースが確保されないことがある。そのようなときに、本実施形態のものであれば操作凹部４４への操作に代えて、押し面２２への操作に切り替えることができる。具体的には、各ゴム栓収容部２０Ａ，２０Ｂから引き出されている電線１８を束ねつつ両押し面２２に指を押し当て、雌ハウジング５をそのまま押し嵌めるのである。
【００３０】
上記の要領で雄ハウジング１に対する押し込み操作がなされると、雄ハウジング１の起立壁４及びロック受け部６は雌ハウジング５の中空室３５へと進入してゆく。そして、雌雄コネクタハウジング１，５の嵌合途上では、ロック受け部６の案内面６Ａがロックアーム３６の両撓み案内面４０に摺接することによって、両アーム片３６は下方への撓み変形が案内される。そして、両ハウジング１，５が正規嵌合されると、両アーム片３６が復帰変形し、爪部３７の後面がロック受け部６の受け面６Ｂとが係止する。尚、正規嵌合状態では雌雄の端子金具が正規状態で接続されるとともに、雄ハウジング１の前端部内周面がゴムリング１１の外周面の全周に沿って密着し、雌雄ハウジング１，５間のシールがなされる。
【００３１】
雌雄ハウジング１，５が正規に嵌合されている状態において、ロックアーム２７を操作することなく両者を離間させる方向へ操作力が加えられると、ロック受け部６と爪部３７との係止状況が解除されるよう作用する。この場合、本実施形態のようにロックアーム２７が、その前端相互が分離された一対のアーム片３６によって形成される形式の構造を採用せざるを得ない場合に、ロック受け部６との係止解除の態様には、下方への撓み変形による場合と、拡開方向への撓み変形による場合の二種類がありうる。そのような２方向への撓み変形が無秩序に生じると、係止力が不安定化する。しかし、本実施形態では両アーム片３６が拡開方向へ撓み変形しようとした場合には、両爪部３７と規制突部４２との当接によって拡開変形が規制される。前述したように、爪部３７とロック受け部６との係止が解除される前に、必ず爪部３７の外側面が規制面４３に当接する関係に設定されていることから、万一、ロック解除が生じるとしても、両アーム片３６を下向きに撓み変形させる態様に限定されるため、安定した係止力を得ることができる。
【００３２】
雌雄ハウジング１，５を正規に離脱させる場合には、窓孔１３を通して連結面３８を押圧操作すると、ロックアーム２７全体が下方へ撓み変形し爪部３７とロック受け部６との係止が解かれる。この状態のまま、操作凹部４４を把持して雌ハウジング５に対する引き抜きを行えば、両ハウジング１，５を離脱させることができる。この場合には、拡張部Ｅが引っ掛かりとなるため、雌ハウジング５に対し引き抜き力を有効に作用させることができる。
【００３３】
ところで、本実施形態ではゴム栓収容部２０Ａ，２０Ｂの後端位置が前後にずれていることに起因して囲壁２３等に対し奥方へ凹んだ領域２１，３０が生じる。そのため、雌雄ハウジング１，５が正規嵌合状態で後端面側を上向きにした姿勢で保持されている場合に、こうした凹んだ領域２１，３０に水が溜まる虞がある。しかし、凹部領域２１における図６の下縁側は切欠き部２８を通して排水がされる。また、小径収容部２０Ｂに近接した領域である水抜き領域３０には排水口３１が開口しているため、この水抜き領域３０に入り込んだ水は排水口３１から排水路３２を通り、ドレン孔３３より雌ハウジング５の外部に排水される。
【００３４】
本実施形態の効果は次の通りである。
（１）サイズの異なる端子金具１４を収容する関係で、雌端子金具１４の後端面において相対的に窪んだ領域２１、３０が形成されるが、切欠き部２８あるいは排水口３１から排水路３２を経て排水されるため、雌ハウジング５の設置姿勢に拘わらず、雌ハウジング５の後端面に水が滞留する事態は回避できる。
（２）小径収容部２０Ｂに対応した幅範囲においては切欠き部２８によって囲壁２３を形成しないようにしたため、小径収容部２０Ｂへ雌端子金具１４を挿入する際に囲壁が引っ掛かりとなってしまうことがなく、円滑に雌端子金具１４を挿入することができ、さらに雌端子金具１４の後端面から引き出された電線が囲壁２３と干渉することも回避できる。
（３）排水口３１が設けられている位置は、ロックアーム２７が設けられている位置の側方という、いわばデッドスペースとなる位置であるため、排水口３１を設けるための特別なスペースを必要としない。
（４）先端が分離した態様のロックアーム２７において、ロックアーム２７を構成する一対のアーム片３６の側方に規制突部４２を配し、両アーム片３６が本来のロック解除時の撓み方向でない側方へ撓み変形するのを規制し、本来の撓み方向である下方への撓みのみ許容されるようにしたため、所期の係止力を得ることができる。
（５）内筒部８と外筒部９とを備える雌ハウジング５の後端部において幅方向外方へ拡張部Ｅを形成してその後端面に押し面２２を形成したため、雄ハウジング５への嵌合の際にはこの押し面２２を押すことにより、円滑に嵌合作業を行うことができる。また、拡張部Ｅより嵌合方向前部側に操作凹部４４を形成したため、この操作凹部４４を把持した嵌合作業を行うこともできるため、嵌合の際の操作部位をコネクタの周辺環境に応じて適宜に選択することができる。
（６）拡張部Ｅと外筒部９の前部との幅方向に関する外面はほぼ面一に揃えられているため、自動機による嵌合を行う場合に有利である
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３５】
（１）キャビティの室数は限定されるべきものでなく、大キャビティ及び小キャビティが共に一室ずつのものであってもよい。
【００３６】
（２）さらに、端子金具の種類も大小２種類である必要はなく、中サイズを含んだ三種類あるいはそれ以上の種類を設定することも可能である。
【００３７】
（３）この実施形態では、囲壁２３は小径収容部２０Ｂと大径収容部２０Ａとを含む全ゴム栓収容部の幅範囲内に設定したが、少なくとも小径収容部２０Ｂが設けられた範囲内に設定されればよい。
【００３８】
（４）ロックアーム２７は片持ち状の態様のものに限らず、支点を長さ方向の途中に有してシーソ状に撓み変形する態様のものであってもよい。
【図面の簡単な説明】
【００３９】
【図１】雄コネクタの平面図
【図２】同じく正面図
【図３】雌雄コネクタの側断面図
【図４】雌コネクタのハウジングの正面図
【図５】同じく平面図
【図６】同じく側面図
【図７】同じく背面図
【図８】図７のVIII-VIII線断面図
【図９】図４のIX-IX線断面図
【図１０】雌雄コネクタの嵌合状態を図８に示す位置で切断したときの断面図
【図１１】雌雄コネクタの嵌合状態を幅方向中央部で切断したときの断面図
【図１２】雌雄コネクタの嵌合状態での図９相当図
【図１３】ロックアームによる係止部分の拡大図
【符号の説明】
【００４０】
５…雌ハウジング
１９…ゴム栓
２０Ａ…ゴム栓収容部（大径収容部）
２０Ｂ…ゴム栓収容部（小径収容部）
２１…凹部領域
２３…囲壁
２８…切欠き部
３１…排水口
３２…排水路
３３…ドレン孔
【図１】
2008270125.tif 000003
【図２】
2008270125.tif 000004
【図３】
2008270125.tif 000005
【図４】
2008270125.tif 000006
【図５】
2008270125.tif 000007
【図６】
2008270125.tif 000008
【図７】
2008270125.tif 000009
【図８】
2008270125.tif 000010
【図９】
2008270125.tif 000011
【図１０】
2008270125.tif 000012
【図１１】
2008270125.tif 000013
【図１２】
2008270125.tif 000014
【図１３】
2008270125.tif 000015